(57)【要約】【課題】防汚フィルムの常圧蒸着法を提案する。【解決手段】この防汚フィルムの常圧蒸着法は、基材を提供するステップと、複数の防汚蒸気分子を形成するように、防汚塗料溶液を気化させる気化ステップと、防汚フィルムを形成するように、これらの防汚蒸気分子を基材の一表面に堆積させるステップと、を備える。【選択図】図１
2012223757.tif 000002
【特許請求の範囲】
【請求項１】
基材を提供するステップと、
複数の防汚蒸気分子を形成するように、防汚塗料溶液を気化させる気化ステップと、
前記防汚フィルムを形成するように、前記防汚蒸気分子を前記基材の一表面に堆積させるステップと、
を備える防汚フィルムの常圧蒸着法。
【請求項２】
前記防汚塗料溶液は、防汚塗料と、高揮発性液体及び／又は水を包含する溶剤と、を含む請求項１に記載の防汚フィルムの常圧蒸着法。
【請求項３】
前記防汚塗料の材料は、フルオロカーボンシリコン炭化水素系化合物、パーフルオロカーボンシリコン炭化水素系化合物、フルオロカーボンシリコンアルカン系化合物、パーフルオロシリコンアルカン系化合物、又はパーフルオロシリコンアルカンエーテル系化合物を含む請求項２に記載の防汚フィルムの常圧蒸着法。
【請求項４】
前記高揮発性液体は、常温における蒸気圧が水の蒸気圧と比べて大きく、且つ、アルコール類、エーテル類、アルカン類、ケトン類、ベンゼン類、フルオロ基含有アルコール類、フルオロ基含有エーテル類、フルオロ基含有アルカン類、フルオロ基含有ケトン類、フルオロ基含有ベンゼン類からなる群から選ばれるものである請求項２または３に記載の防汚フィルムの常圧蒸着法。
【請求項５】
前記基材は、保護ガラス、プラスチック基材、強化ガラス又は金属基材を含む請求項１〜４のいずれか１項に記載の防汚フィルムの常圧蒸着法。
【請求項６】
前記気化ステップは、超音波霧化素子、加熱蒸着霧化素子、高圧気体ジェット素子、又はノズル霧化素子を包含する霧化素子を用いることを含む請求項１〜５のいずれか１項に記載の防汚フィルムの常圧蒸着法。
【請求項７】
前記気化ステップの前に、前記基材の前記表面に、複数の酸素水素官能基、複数の窒素水素官能基、及び／又は複数のダングリングボンドを含有する複数の官能基を形成するように、プラズマを用いて前記基材の前記表面に洗浄及び処理を行うステップを更に備える請求項１〜６のいずれか１項に記載の防汚フィルムの常圧蒸着法。
【請求項８】
前記プラズマは、大気プラズマ又は低圧プラズマである請求項７に記載の防汚フィルムの常圧蒸着法。
【請求項９】
前記気化ステップの前に、保護カバーを用いて前記基材を覆うステップを更に備え、前記気化ステップは、前記保護カバー内で行われる請求項１〜８のいずれか１項に記載の防汚フィルムの常圧蒸着法。
【請求項１０】
前記防汚蒸気分子を堆積させるステップの前に、前記防汚蒸気分子を前記保護カバー内で対流させるステップを更に備える請求項９に記載の防汚フィルムの常圧蒸着法。
【発明の詳細な説明】
【技術分野】
【０００１】
本発明は、防汚フィルムの製造方法に関し、特に、常圧蒸着（ａｔｍｏｓｐｈｅｒｉｃ  ｅｖａｐｏｒａｔｉｏｎ）による防汚フィルムの製造方法に関する。
【背景技術】
【０００２】
ポータブル電子装置の普及に伴い、その外観を維持するために、このようなポータブル電子装置の外層表面の保護に対する要求も日々高まっている。現在、これらの電子装置の外層表面を保護するために、例えば、防指紋フィルムなどの防汚フィルムを電子装置の外層表面に塗布することは、一般的である。例えば、利用者に繰り返しタッチされたり、こすられても、パネルの表面が良い表示品質及び操作感度を保持可能にするように、現在ブームになっているタッチ式電子装置のタッチパネルの表面に、通常、防指紋フィルムが設けられている。
【０００３】
通常、防汚フィルムの表面は、殆ど防汚性が良く、指紋跡の汚れが防止可能で、手触りが滑らかで、防水・耐油及び透明等の特性を有する。また、使用寿命が長くなるように、防汚フィルムは、カバーしている装置の外層表面に対して高い付着力を持つ必要がある。
【０００４】
現在、防汚フィルムを塗布するには、主に４種類の方式がある。第１は、真空雰囲気において、基材の下方で防汚塗料を加熱し、それを気化させ、上昇させて基材の下表面に付着させることにより、基材の下表面に防汚フィルムを形成する真空蒸着方式である。このような方式の利点は、片面塗布が可能で、塗料の無駄遣いを避けることができることにある。しかしながら、このような塗布方式は、蒸着反応室を真空化する必要があるため、設備の建造費が高くなり、工程の時間が増え、生産性が良くないだけでなく、連続した被蒸着表面にも不適当である。
【０００５】
第２は、被処理基材を塗料溶液に浸漬して取り出すことによって、塗料を被処理基材の表面に塗装する浸漬塗布（ｄｉｐｐｉｎｇ  ｃｏａｔｉｎｇ）方式である。しかしながら、このような塗布方式の欠点は、被処理基材に対して多面塗布を行い、塗料の無駄遣いとなることにある。また、連続した被処理基材の塗布に対して、このような方式の必要設備の体積が、相当巨大であるため、連続した被処理基材への適用にも不適当である。
【０００６】
第３は、被処理基材の表面に防汚フィルムを形成するように、噴霧装置によって直接、被処理基材の表面へ噴射し、塗料を被処理基材の表面に吹き付ける噴霧塗布（ｓｐｒａｙ  ｃｏａｔｉｎｇ）方式である。しかしながら、噴霧装置の吹き付けた塗料は、殆ど、まだ気化していないうちに、被処理基材の表面に接触してしまうため、噴霧装置の吹き付けた霧滴が、基材の被塗布の表面に垂れてしまう。その結果、形成した防汚フィルムの均一性が悪くなってしまう。
【０００７】
第４は、防汚塗料をブラシで直接、被処理基材の表面に塗る刷毛塗り（ｂｒｕｓｈ  ｃｏａｔｉｎｇ）法である。しかしながら、このような塗布方式は、常に、隣接する２つの塗り領域の隣接する箇所を重複塗布することとなり、形成した防汚フィルムが不均一になってしまう。
【発明の概要】
【発明が解決しようとする課題】
【０００８】
そこで、本発明の一態様は、常圧蒸着によって防汚フィルムの塗布を行うため、防汚フィルムの大幅な生産性向上を実現可能な防汚フィルムの常圧蒸着法を提供する。
【０００９】
本発明の他の態様は、連続した被処理基材への防汚フィルムの塗布を効率的に行うことが可能となる防汚フィルムの常圧蒸着法を提供する。
【００１０】
本発明のさらにその他の態様は、防汚塗料を、大量に、迅速且つ効果的に被処理基材の表面に均一に塗布可能な防汚フィルムの常圧蒸着法を提供する。
【課題を解決するための手段】
【００１１】
本発明の前記目的を達成するため、基材を提供するステップと、複数の防汚蒸気分子を形成するように、防汚塗料溶液を気化させる気化ステップと、防汚フィルムを形成するように、これらの防汚蒸気分子を前記基材の一表面に堆積させるステップと、を備える防汚フィルムの常圧蒸着法が提案される。
【００１２】
本発明の一実施例によると、前記防汚塗料溶液は、防汚塗料と、高揮発性液体及び／又は水を包含する溶剤と、を含む。
【００１３】
本発明の他の実施例によると、前記防汚塗料の材料は、フルオロカーボンシリコン炭化水素系化合物、パーフルオロカーボンシリコン炭化水素系化合物、フルオロカーボンシリコンアルカン系化合物、パーフルオロシリコンアルカン系化合物、又はパーフルオロシリコンアルカンエーテル系化合物を含む。
【００１４】
本発明のさらに一つの実施例によると、前記高揮発性液体は、常温における蒸気圧が水の蒸気圧と比べて大きく、且つアルコール類、エーテル類、アルカン類、ケトン類、ベンゼン類、フルオロ基含有アルコール類、フルオロ基含有エーテル類、フルオロ基含有アルカン類、フルオロ基含有ケトン類、フルオロ基含有ベンゼン類からなる群から選ばれるものである。
【００１５】
本発明のさらに一つの実施例によると、前記気化ステップは、超音波霧化素子、加熱蒸着霧化素子、高圧気体ジェット素子、又はノズル霧化素子を包含してもよい霧化素子を用いることを含む。
【００１６】
本発明のさらに一つの実施例によると、前記防汚フィルムの常圧蒸着法は、気化ステップの前に、基材の表面に、複数の酸素水素官能基、複数の窒素水素官能基、及び／又は複数のダングリングボンドを含有してもよい複数の官能基を形成するように、プラズマを用いて前記基材の表面に洗浄及び処理を行うステップを更に備える。
【００１７】
本発明のさらに一つの実施例によると、前記防汚フィルムの常圧蒸着法は、気化ステップの前に、保護カバーを用いて基材を覆うステップを更に備え、気化ステップは、この保護カバー内で行われる。
【００１８】
本発明のさらに一つの実施例によると、前記防汚フィルムの常圧蒸着法は、防汚蒸気分子を堆積させるステップの前に、これらの防汚蒸気分子を保護カバー内で対流させるステップを更に備える。
【図面の簡単な説明】
【００１９】
下記図面の簡単な説明は、本発明の前記または他の目的、特徴、メリット及び実施例をより分かりやすくするためのものである。
【００２０】
【図１】本発明の一実施形態による防汚フィルムの常圧蒸着法を示すフロー図である。
【図２Ａ】本発明の一実施形態による防汚フィルムの常圧蒸着法を示す工程断面図である。
【図２Ｂ】本発明の一実施形態による防汚フィルムの常圧蒸着法を示す工程断面図である。
【図２Ｃ】本発明の一実施形態による防汚フィルムの常圧蒸着法を示す工程断面図である。
【発明を実施するための形態】
【００２１】
本発明の一実施形態による防汚フィルムの常圧蒸着法を示すフロー図である図１、及び本発明の一実施形態による防汚フィルムの常圧蒸着法を示す工程断面図である図２Ａ〜図２Ｃを参照する。図１に示すように、本実施形態の防汚フィルムの常圧蒸着法１００において、まず、ステップ１０２の通り、基材２００を提供する。基材２００は、例えば、保護ガラス、プラスチック基材、強化ガラス又は金属基材であってもよい。
【００２２】
一実施例において、ステップ１０２により基材２００を提供する場合、１つ又は複数の基材２００を給送装置２０２に設けてもよい。図２Ａに示した実施例において、給送装置２０２は、コンベアベルト２０４とロール２０６により構成され、基材２００はコンベアベルト２０４に配列される。また他の実施例において、基材は、連続した基材であってもよく、給送装置は、例えば、塗布装置の前後両側で連続した基材を支持して移動させ、前へ進行させる２つのロールのような、この連続した基材を移動させる給送装置であってもよく、また、この場合、基材はコンベアベルトに搭載されない。
【００２３】
本実施形態において、防汚フィルム２２８（図２Ｃを参照）の塗布を行う場合、工程の必要に応じて、図１に示したステップ１０４の通り、選択的にプラズマ装置２０８を用いてプラズマ２１０を発生させ、基材２００の表面２２０を活性化させるように、プラズマ２１０を用いて基材２００の表面２２０に対して洗浄及び表面変性処理を行うことができる。一実施例において、基材２００の表面２２０をプラズマ２１０により活性化した後、基材２００の表面２２０に複数の官能基を形成することができる。一例において、窒素、アルゴン、酸素又は空気等の作動ガスを用いて、プラズマ２１０を発生させることができる。ただし、プラズマ２１０により表面処理された後、基材２００の表面２２０に発生した官能基が、例えば、酸素水素官能基及び／又は窒素水素官能基を含むような、防汚蒸気分子２２６と結合可能な官能基であることが好ましい。一実施例において、基材２００の表面２２０に発生した官能基は、防汚蒸気分子２２６と結合可能なダングリングボンドを更に含む。
【００２４】
一実施例において、大気プラズマ又は低圧プラズマを用いて、基材２００の表面２２０に対して表面変性処理を行ってもよい。ただし、大気プラズマは、例えば、常圧ジェットプラズマ（ｐｌａｓｍａ  ｊｅｔ又はｐｌａｓｍａ  ｔｏｒｃｈ）又は広域常圧プラズマ（ｄｉｅｌｅｃｔｒｉｃ  ｂａｒｒｉｅｒ  ｄｉｓｃｈａｒｇｅ；ＤＢＤ、又はａｔｍｏｓｐｈｅｒｉｃ  ｇｌｏｗ  ｄｉｓｃｈａｒｇｅ）等であってもよく、低圧プラズマは、例えば、真空プラズマであってもよい。また、プラズマ装置２０８は、例えば、大気プラズマ装置、低圧プラズマ装置又は電磁結合プラズマ装置等であってもよい。ただし、後の常圧蒸着の作業の一貫性に合わせて、工程の時間を短縮させるために、本実施形態において好ましくは、大気プラズマを用いて基材２００の表面２２０の洗浄及び活性化処理を行うことが、注意すべき点である。
【００２５】
基材２００の表面処理のステップ１０４を完了した後、すぐにステップ１０６を行う。一実施例において、ステップ１０６を行う場合、まず、霧化装置２１８を基材２００の表面２２０の上方に設けて、保護カバー２１２を用いて基材２００を覆うことで、保護カバー２１２と給送装置２０２のコンベアベルト２０４より反応室２３４を定義することができる。そして、図２Ｂに示すように、基材２００の表面２２０の上方で防汚塗料霧２２４を形成するように、大気雰囲気中で、霧化装置２１８を用いて反応室２３４内の基材２００の表面２２０の上方で防汚塗料溶液２３２を霧化する。
【００２６】
防汚塗料溶液２３２を霧化する場合、例えば、超音波霧化素子、加熱蒸着霧化素子、高圧気体ジェット素子、又はノズル霧化素子などの霧化素子を用いてもよい。図２Ｂに示した実施例において、霧化装置２１８は、塗料受止装置２１６と、超音波霧化振動片２１４と、塗料搬送部材２２２と、を含んでもよい。即ち、図２Ｂの実施例に用いる霧化素子は、超音波霧化振動片２１４である。
【００２７】
霧化装置２１８において、防汚塗料溶液２３２は、塗料受止装置２１６に積み込まれる。超音波霧化振動片２１４は、塗料受止装置２１６の片側の上部に設けられる。塗料搬送部材２２２は、塗料受止装置２１６の防汚塗料溶液２３２と超音波霧化振動片２１４との間に接続され、防汚塗料溶液２３２を塗料受止装置２１６から超音波霧化振動片２１４まで送ることができる。超音波霧化振動片２１４により超音波振動した後、防汚塗料溶液２３２は、霧化されて、防汚塗料霧２２４になることができ、その後、霧化溶液における溶剤の急速な揮発により、防汚塗料蒸気分子２２６となる。
【００２８】
いくつかの実施例において、超音波霧化振動片２１４を防汚塗料溶液２３２の液面に置いてもよく、この場合、霧化装置２１８は、塗料搬送部材２２２は無くてもよい。塗料搬送部材２２２は、例えば、スライバー又は搬送管であってよい。
【００２９】
防汚塗料溶液２３２は、防汚塗料及び溶剤を含んでもよい。一実施例において、防汚塗料の材料は、フルオロカーボンシリコン炭化水素系化合物、パーフルオロカーボンシリコン炭化水素系化合物、フルオロカーボンシリコンアルカン系化合物、パーフルオロシリコンアルカン系化合物、又はパーフルオロシリコンアルカンエーテル系化合物を含んでもよい。また、防汚塗料溶液２３２の溶剤は、例えば、高揮発性液体、水、又は高揮発性液体と水を混合した液体を含んでもよい。高揮発性溶剤の性質は、常温で液体状態となり、安定した化学構造及び高揮発性を持ち、低沸点、無色透明、且つ生物に対する明確な有害性を持たない液体である。好ましい実施例において、高揮発性液体は、常温における蒸気圧が水の蒸気圧と比べて大きく、且つこの高揮発性液体は、アルコール類、エーテル類、アルカン類、ケトン類、ベンゼン類、フルオロ基含有アルコール類、フルオロ基含有エーテル類、フルオロ基含有アルカン類、フルオロ基含有ケトン類、フルオロ基含有ベンゼン類からなる群から選ばれることができる。
【００３０】
超音波霧化振動片２１４等の霧化素子を用いて防汚塗料溶液２３２を霧化する場合、高揮発性溶剤により比較的分子の大きい防汚塗料を移動することができるため、防汚塗料溶液２３２を霧化して防汚塗料霧２２４に転化することに役立つものである。
【００３１】
また他のいくつかの実施例において、防汚塗料蒸気分子２２６への防汚塗料霧２２４の転化を速めるために、更に、ヒーターを用いて、霧化装置２１８の形成した防汚塗料霧２２４を加熱することができる。例としては、防汚塗料溶液２３２の溶剤が水等の高揮発性ではない液体である場合、ヒーターを用いて、防汚塗料蒸気分子２２６への防汚塗料霧２２４の転化を助けることができる。
【００３２】
防汚塗料溶液２３２が反応室２３４内で霧化したり、気化した後、形成した防汚塗料霧２２４を反応室２３４に散布する。図１に示したステップ１０８の通り、防汚塗料霧２２４における溶剤は揮発しやすく、防汚塗料の分子が重いので、図２Ｃに示すように、溶剤が揮発した後、反応室２３４内に散布した防汚塗料霧２２４は、防汚塗料蒸気分子２２６に気化され、且つ下方へ降下して基材２００の表面２２０に堆積し、更に、基材２００の表面２２０に防汚フィルム２２８を形成する。
【００３３】
本発明の好ましい実施例において、基材２００の表面２２０が活性化された後、官能基が発生するため、防汚塗料霧２２４における防汚塗料分子は、異方的に基材２００の表面２２０に付着して、基材２００の表面２２０における官能基と縮合反応（Ｃｏｎｄｅｎｓａｔｉｏｎ  Ｒｅａｃｔｉｏｎ）を起こす。その結果、形成した防汚フィルム２２８は、基材２００の表面２２０に対して極めて強い付着力を有する。
【００３４】
本発明のまた他の一実施形態において、更に、工程の必要に応じて、防汚塗料蒸気分子２２６が堆積する前に、例えば、ファン等の対流装置を選択的に反応室２３４に予め設けて、対流装置により防汚塗料蒸気分子２２６を反応室２３４内に更に均一に散布させてもよい。この時、基材２００の表面２３６及び／又は側面２３８がコンベアベルト２０４に完全に貼り付けられていない場合、防汚塗料蒸気分子２２６は、基材２００の表面２２０、表面２３６及び／又は側面２３８に同時に堆積し、防汚フィルム２２８を基材２００の表面２２０、表面２３６及び／又は側面２３８に塗布することができる。防汚フィルム２２８を塗布することで、基材２００の表面２２０、表面２３６及び／又は側面２３８に、疎水性、疎油性及び油汚れ防止機能を持たせることができる。また、図２Ｃに示すように、反応室２３４内に、霧化装置２１８を支持するための支持装置２３０を設けてもよい。
【００３５】
本実施形態において、複数の霧化装置２１８からなる蒸着設備を用いて、例えば、行、列又はアレイに配列された複数の基材２００に対して、防汚フィルムの蒸着を同時に行うことができる。また、本発明は、常圧で防汚フィルム２２８の塗布を行うため、防汚塗料を、大量に、迅速且つ効果的に基材２００の表面に均一に塗布することができる。
【００３６】
また、本発明の実施形態の一特徴は、防汚塗料溶液の霧化を被処理基材の上方で行うため、防汚塗料溶液が霧化された後、その噴霧方向は、被処理基材に直接向かう方向ではない。このようにして、防汚塗料溶液は、気化が更に明確となった後で、被処理基材の表面に接触することができる。従って、基材の表面での霧滴の発生を避けられ、更に、防汚フィルムの塗布均一性を向上させることができる。
【００３７】
本発明のまた他の実施形態において、防汚塗料溶液の霧化が、被処理基材の上方ではなく、他の領域で行ってもよい。例としては、被処理基材の下方で防汚塗料溶液の霧化を行ってから、導管を用いて防汚塗料霧を引き出すことができる。導管によって、搬送過程で防汚塗料霧から転化した防汚塗料蒸気分子を、基材の防汚フィルムを塗布する必要のある領域に導入し、更に、基材の塗布を要する領域に防汚フィルムを形成することができる。
【００３８】
前記本発明の実施形態より、本発明の利点の一つは、常圧蒸着によって防汚フィルムを塗布するため、減圧・真空化プロセスが省略でき、更に、設備コストの大幅な削減及び生産性の向上が可能になることであることがわかる。
【００３９】
前記本発明の実施形態より、本発明のまた他の利点は、常圧蒸着によって防汚フィルムを塗布するため、連続した被処理基材に対して防汚フィルムを極効率的に塗布し得ることにあることがわかる。
【００４０】
前記本発明の実施形態より、本発明のまた一つの利点は、大気雰囲気中で、防汚塗料溶液を霧化したり、気化するため、防汚塗料を大量に、迅速且つ効果的に被処理基材の単一又は複数の表面に均一に塗布し得ることであることがわかる。
【００４１】
本発明では実施例を前述の通り開示したが、これは本発明を限定するものではなく、当業者であれば、本発明の精神と領域から逸脱しない限り、多様の変更や修正を加えることができる。従って本発明の保護範囲は、特許請求の範囲で指定した内容を基準とする。
【符号の説明】
【００４２】
１００  方法、１０２、１０４、１０６、１０８  ステップ、２００  基材、２０２  給送装置、２０４  コンベアベルト、２０６  ロール、２０８  プラズマ装置、２１０  プラズマ、２１２  保護カバー、２１４  超音波霧化振動片、２１６  塗料受止装置、２１８  霧化装置、２２０、２３６  表面、２２２  塗料搬送部材、２２４  防汚塗料霧、２２６  防汚塗料蒸気分子、２２８  防汚フィルム、２３０  支持装置、２３２  防汚塗料溶液、２３４  反応室、２３８  側面
【図１】
2012223757.tif 000003
【図２Ａ】
2012223757.tif 000004
【図２Ｂ】
2012223757.tif 000005
【図２Ｃ】
2012223757.tif 000006